(57)【要約】【課題】小型化または低背化した場合であっても良好な電気的接続性を簡易な構成で安定的に得ることを可能とする。【解決手段】ケーブル状信号伝送媒体ＳＣが連結されるコネクタ本体部から突出するケ一ブル保護アーム１３ｅに、ケ一ブル状信号伝送媒体ＳＣ側に向って折り曲げた補強部１３ｈを一体的に設けたことにより、ケ一ブル保護アーム１３ｅおよびコネクタ本体部の剛性が高められ、コネクタの低背化または小型化等に伴うコネクタ本体部（バレル部）やケ一ブル保護アームの剛性の低下傾向にかかわらず、嵌合相手となる他の電気コネクタ２０に対する挿入・抜去を行う際における変形や位置ずれ、あるいはインピーダンス等の電気的特性変化が低減されるように構成したものである。【選択図】図１０
2014143069.tif 000002
【特許請求の範囲】
【請求項１】
ケーブル状信号伝送媒体が連結されるコネクタ本体部と、そのコネクタ本体部から前記ケーブル状信号伝送媒体に沿うように突出するケ一ブル保護アームと、を有する電気コネクタにおいて、
前記ケ一ブル保護アームには、前記ケ一ブル状信号伝送媒体側に向って折り曲げられた補強部が一体的に設けられていることを特徴とする電気コネクタ。
【請求項２】
前記コネクタ本体部は、当該コネクタ本体部に載置された前記ケ一ブル状信号伝送媒体を前記ケ一ブル保護アームとともに覆うように被せられる蓋状部材を有し、
その蓋状部材には、前記ケ一ブル保護アームの外壁面に沿うように折り曲げられる固定保持板が設けられ、
前記固定保持板に、前記ケ一ブル保護アームの補強部に係合する位置決め部が設けられていることを特徴とする請求項１記載の電気コネクタ。
【請求項３】
前記位置決め部が、前記補強部の折り曲げ部分に嵌合する凹状の窪み表面を有するように形成されていることを特徴とする請求項２記載の電気コネクタ。
【請求項４】
前記ケ一ブル保護アームまたは前記補強部に、前記蓋状部材に嵌合する係合凸部が設けられていることを特徴とする請求項２記載の電気コネクタ。
【請求項５】
前記補強部が、前記ケーブル状信号伝送媒体に当接して当該ケーブル状信号伝送媒体を位置規制するケーブルガイドとして設けられていることを特徴とする請求項１記載の電気コネクタ。
【発明の詳細な説明】
【技術分野】
【０００１】
本発明は、同軸ケーブル等のケーブル状信号伝送媒体が連結される電気コネクタに関する。
【背景技術】
【０００２】
一般に、携帯電話等の種々の電子機器又は電気機器において、信号電送媒体として同軸ケーブル等のケーブル状信号伝送媒体が広く採用されているが、そのケーブル状信号伝送媒体を印刷配線基板側に対して効率的に接続する電気コネクタとして同軸コネクタが使用されている。例えば、下記の特許文献１に記載された同軸コネクタでは、同軸ケーブルの内部導体に接続される導電コンタクトが折り曲げられることで、同軸ケーブルの内部導体が径方向に挟持され、それによって導電コンタクトの接点部が同軸ケーブルの内部導体に電気的に接続されるようになっている。このような構成を有する同軸コネクタによれば、導電コンタクトと同軸ケーブルとを接続するための半田接続作業が省略され、その分、組立て作業性が向上されるとともに、半田材の廃棄等による環境的観点の問題が解消され、しかも半田の使用量の差に起因した特性インピーダンスのズレが無くなるという利点も得られる。
【０００３】
しかしながら、このような従来の同軸コネクタにおいては、特に近年における電気コネクタの急速な小型化または低背化に伴って、コネクタ本体部（バレル部）や、そのコネクタ本体部からケーブル状信号伝送媒体に沿って突出するケ一ブル保護アーム等の剛性が低下する傾向にある。そのため、嵌合相手となる他の電気コネクタに対して挿入・抜去を行う際に、変形や位置ずれが生じたり、インピーダンス等の電気的特性が変化するおそれがあることから、電気コネクタの電気的接続性が不安定化することも考えられる。
【先行技術文献】
【特許文献】
【０００４】
【特許文献１】特開２０１１−４０２６２号公報
【発明の開示】
【発明が解決しようとする課題】
【０００５】
そこで本発明は、小型化または低背化した場合であっても良好な電気的接続性を簡易な構成で安定的に得ることができるようにした同軸コネクタを提供することを目的とする。
【課題を解決するための手段】
【０００６】
上記目的を達成するため本発明においては、ケーブル状信号伝送媒体が連結されるコネクタ本体部と、そのコネクタ本体部から前記ケーブル状信号伝送媒体に沿うように突出するケ一ブル保護アームとを有する電気コネクタにおいて、前記ケ一ブル保護アームに、前記ケ一ブル状信号伝送媒体側に向って折り曲げられた補強部が一体的に設けられた構成になされている。
【０００７】
このような構成によれば、コネクタの低背化または小型化等に伴ってコネクタ本体部（バレル部）やケ一ブル保護アームの剛性が低下する傾向が生じた場合であっても、ケ一ブル保護アームに設けられた補強部によって、当該ケ一ブル保護アームおよびコネクタ本体部の剛性が高められていることから、嵌合相手となる他の電気コネクタに対する挿入・抜去を行う際における変形や位置ずれ、あるいはインピーダンス等の電気的特性変化が低減される。
【０００８】
また、本発明における前記コネクタ本体部は、当該コネクタ本体部に載置された前記ケ一ブル状信号伝送媒体を前記ケ一ブル保護アームとともに覆うように被せられる蓋状部材を有し、その蓋状部材には、前記ケ一ブル保護アームの外壁面に沿うように折り曲げられる固定保持板が設けられ、前記固定保持板に、前記ケ一ブル保護アームの補強部に係合する位置決め部が設けられていることが望ましい。その位置決め部は、例えば前記補強部の折り曲げ部分に嵌合する凹状の窪み表面を有するように形成される。
【０００９】
このような構成によれば、ケ一ブル保護アームの補強部が、固定保持板に設けられた位置決め部によって、より安定的に保持されることから、嵌合相手となる他の電気コネクタに対する挿抜時の安定性や電気的特性が更に向上される。
【００１０】
また、本発明においては、前記ケ一ブル保護アームまたは前記補強部に、前記蓋状部材に嵌合する係合凸部が設けられていることが望ましい。
【００１１】
このような構成によれば、ケ一ブル保護アームあるいは補強部が、蓋状部材によって保持されることから、嵌合相手となる他の電気コネクタに対する挿抜時の安定性や電気的特性が一層向上される。
【００１２】
また、本発明においては、前記補強部が、前記ケーブル状信号伝送媒体に当接して当該ケーブル状信号伝送媒体を位置規制するケーブルガイドとして設けられていることが望ましい。
【００１３】
このような構成によれば、ケ一ブル保護アームにケーブルガイドとして設けられた補強部の位置規制機能によって、ケーブル状信号伝送媒体が所定の位置に安定的に保持されることとなり、例えば、ケーブル状信号伝送媒体に煽り操作等の外力が付与された場合であっても、電気的接続性が良好に維持される。
【発明の効果】
【００１４】
以上述べたように本発明は、ケーブル状信号伝送媒体が連結されるコネクタ本体部から突出するケ一ブル保護アームに、ケ一ブル状信号伝送媒体側に向って折り曲げた補強部を一体的に設けたことにより、ケ一ブル保護アームおよびコネクタ本体部の剛性が高められ、コネクタの低背化または小型化等に伴うコネクタ本体部（バレル部）やケ一ブル保護アームの剛性の低下傾向にかかわらず、嵌合相手となる他の電気コネクタに対する挿入・抜去を行う際における変形や位置ずれ、あるいはインピーダンス等の電気的特性変化が低減されるように構成したものであるから、小型化または低背化した場合であっても良好な電気的接続性を簡易な構成で安定的に得ることができ、同軸コネクタの信頼性を低廉かつ大幅に向上させることができる。
【図面の簡単な説明】
【００１５】
【図１】本発明の第１の実施形態にかかるプラグコネクタ単体の初期状態（同軸ケーブル非連結状態）を正面側から表した外観斜視説明図である。
【図２】図１に示されたプラグコネクタ単体の初期状態を背面側から表した外観斜視説明図である。
【図３】図１に示されたプラグコネクタ単体の側面説明図である。
【図４】図１に示されたプラグコネクタ単体の平面説明図である。
【図５】図１に示されたプラグコネクタ単体の正面説明図である。
【図６】図５中のａ−ａ 線に沿った横断面説明図である。
【図７】図１〜図５に示されたプラグコネクタにおいて蓋状部材（シェル蓋部）を押し曲げた傾倒状態を表した側面説明図である。
【図８】図７中のｂ−ｂ 線に沿った横断面説明図である。
【図９】図７に示された状態から固定保持板を押し曲げてカシメ固定を行った後の状態を表した側面説明図である。
【図１０】図９中のｃ−ｃ 線に沿った横断面説明図である。
【図１１】本発明の第２の実施形態にかかるプラグコネクタを表した側面説明図である。
【図１２】図１１中のｄ−ｄ 線に沿った縦断面説明図である。
【図１３】本発明の第１の実施形態にかかるプラグコネクタに同軸ケーブルをセットした状態を表した外観斜視説明図である。
【図１４】図１３に示された状態から固定保持板をカシメ固定して同軸ケーブルの結線を完了した状態を表した外観斜視説明図である。
【図１５】本発明の第１の実施形態にかかるプラグコネクタを嵌合相手であるリセプタクルコネクタに嵌合させた状態を表した外観斜視説明図である。
【図１６】図１４に示された同軸ケーブル結線状態にあるプラグコネクタの縦断面説明図である。
【発明を実施するための形態】
【００１６】
以下、信号伝送媒体として細線同軸ケーブルを使用する同軸コネクタに本発明を適用した実施形態についての説明を図面に基づいて詳細に行う。
【００１７】
［同軸コネクタ組立体全体構造について］
図１〜図１０示されている本発明の第１の実施形態にかかるプラグコネクタ１０は、ケーブル状信号伝送媒体としての細線同軸ケーブルＳＣの端末部分が連結される構成になされており、図示を省略した所定の印刷配線基板上に実装されたリセプタクルコネクタなどからなる相手側の電気コネクタ２０（図１５及び図１６参照）に対して、上方から差し込むようにして嵌合または抜去される構成になされている。その相手側の電気コネクタ（リセプタクルコネクタ等）に対するプラグコネクタ１０の嵌合・抜去作業は、印刷配線基板の平面に対して略直交する方向に行われる。
【００１８】
より具体的には、プラグコネクタ１０のコネクタ本体部は、略円筒形状をなすように形成されており、その略円筒形状をなすプラグコネクタ１０のコネクタ本体部に対して、径方向外方側から細線同軸ケーブルＳＣの端末部が連結され（図１３および図１４参照）、その細線同軸ケーブルＳＣが連結された状態で、相手側の電気コネクタ（リセプタクルコネクタ等）２０の上方位置に対面するようにプラグコネクタ１０が配置される。そして、当該プラグコネクタ１０の全体が、印刷配線基板の外表面に対して略直交する方向に下降されていくことによってプラグコネクタ１０の下端部分が、相手側の電気コネクタ２０の上端部分に対して嵌合状態になされる（図１５及び図１６参照）。このように相手側の電気コネクタに対してプラグコネクタ１０が上方から差し込まれた嵌合状態においては、細線同軸ケーブルＳＣの端末部がプラグコネクタ１０および相手側の電気コネクタを介して印刷配線基板上の配線パターン導電路に接続されることとなる。
【００１９】
以下において、相手側の電気コネクタ（リセプタクルコネクタ等）２０に対してプラグコネクタ１０を差し込む方向を「下方向」とし、それとは反対に抜き出す抜去方向を「上方向」とする。また、プラグコネクタ１０自体において、細線同軸ケーブルＳＣの端末部が接続される方の端縁部分を「正面側端縁部分」とするとともに、それとは反対側の端縁部分を「背面側端縁部分」とし、さらにその「背面側端縁部分」から「正面側端縁部分」に向かう方向を「前方向」、その逆方向を「後方向」とする。また、それらの「上下方向」および「前後方向」の双方に直交する方向を「左右方向」とする。
【００２０】
［同軸ケーブルについて］
特に図１３ないし図１５に示されているように、ケーブル状信号伝送媒体としての細線同軸ケーブルＳＣの端末部分は、外周被覆材が皮剥きされることによって、ケーブル内部導体（信号線）ＳＣａおよびケーブル外部導体（シールド線）ＳＣｂが、同軸状をなすように露出されており、当該細線同軸ケーブルＳＣの中心軸に沿うようにして配置されたケーブル内部導体ＳＣａが、絶縁ハウジング１１に取り付けられた導電コンタクト（シグナル導電コンタクト）１２に接続されることによって信号回路が構成される。また、ケーブル内部導体ＳＣａの外周側を取り囲むように配置されたケーブル外部導体ＳＣｂはシールドシェル１３に接続され、そのシールドシェル１３がグランド導電コンタクトとして機能することによってグランド回路が構成されるようになっている。
【００２１】
［絶縁ハウジングについて］
ここで、上述した絶縁ハウジング１１は、コネクタ本体部を構成するように略円板形状に形成された絶縁本体部１１ａを有しているとともに、その絶縁本体部１１ａの下方部分に、嵌合相手である電気コネクタ（リセプタクルコネクタ等）の内方側に挿入される絶縁挿入部１１ｂを一体的に有している。そのうちの絶縁本体部１１ａの略中央部分には、上述した細線同軸ケーブルＳＣの端末部分が載置されるようにしてセットされるが（図１３参照）、その細線同軸ケーブルＳＣのケーブル内部導体（信号線）ＳＣａを受ける導電コンタクト（シグナル導電コンタクト）１２が取り付けられている。また、そのシグナル導電コンタクト１２の周囲を取り囲むようにして、グランド導電コンタクトとしてのシールドシェル１３が、上述した絶縁本体部１１ａに取り付けられている。さらに、絶縁本体部１１ａの正面側端縁部分には、正面視において略半円形状をなす凹溝からなるケーブル支持部１１ｃ（図５参照）が形成されており、そのケーブル支持部１１ｃの内部に、上述した細線同軸ケーブルＳＣの端末部分が載置されて受けられるようになっている。
【００２２】
このようにコネクタ本体部を構成している絶縁ハウジング１１の絶縁本体部１１ａに対して、当該絶縁本体部１１ａから下方に向かって突出する絶縁挿入部１１ｂが、中空円筒状をなすように一体的に形成されている。この絶縁挿入部１１ｂは、上述したように嵌合相手である相手側電気コネクタ（リセプタクルコネクタ等）の内方に向かって下端側から挿入される構成になされている。
【００２３】
［シールドシェルについて］
さらに、上述した絶縁本体部１１ａおよび絶縁挿入部１１ｂを有する絶縁ハウジング１１の外側表面は、薄板金属状部材からなるシールドシェル１３によって覆われている。このシールドシェル１３は、絶縁ハウジング１１の絶縁本体部１１ａを径方向外方側から環状に覆うシェル本体部１３ａと、その絶縁本体部１１ａの上面側を覆う蓋状部材としてのシェル蓋部１３ｂと、絶縁挿入部１１ｂを径方向外方側から環状に覆うシェル挿入部１３ｃとを有している。
【００２４】
このとき、細線同軸ケーブルＳＣの端末部分を接続して固定する前の初期状態においては、上述したシールドシェル１３のシェル蓋部１３ｂが、図１ないし図５に示されているような上方開放状態になされている。すなわち、当該初期状態におけるシェル蓋部１３ｂは、シェル本体部１３ａの背面側端縁部分に、細幅の板状部材からなる繋ぎ部材１３ｄを介して略鉛直上方に立ち上がるように配置されている。また、そのシェル蓋部１３ｂの内面側には、絶縁ハウジング１１の絶縁本体部１１ａから上方に立ち上がる絶縁押圧板１１ｄが、シェル蓋部１３ｂの内表面に沿うように配置されている。なお、繋ぎ部材１３ｄの設置位置および設置個数は任意に選定することが可能である。
【００２５】
そして、上述したシールドシェル１３の開放状態（初期状態）において、細線同軸ケーブルＳＣの端末部分が、図１３のようにケーブル支持部１１ｃに受けられるように載置されてセットされた後、繋ぎ部材１３ｄが絶縁押圧板１１ｄとともに略直角下方に折り曲げられるようにしてシールドシェル１３のシェル蓋部１３ｂが略水平状態まで押し倒される。これによって、絶縁ハウジング１１の絶縁本体部１１ａの全体が、シェル蓋部１３ｂにより上方側から覆われ、シールドシェル１３が閉塞状態になされる（図１４参照）。
【００２６】
このときのシェル蓋部１３ｂは、上述したように略水平状態まで押し倒された際に、シェル本体部１３ａの上方側部分および外周側部分を覆うように被せられる構造になされているが、その略水平状態まで押し倒されたシェル蓋部１３ｂの正面側部分には、細線同軸ケーブルＳＣの上方を覆うように突出カバー部１３ｂ１が設けられている。このシェル蓋部１３ｂに設けられた突出カバー部１３ｂ１は、細線同軸ケーブルＳＣを覆うとともに、上述したシェル本体部１３ａから突出する一対のケ一ブル保護アーム１３ｅ，１３ｅを上方側から覆う構成になされている。このときのケ一ブル保護アーム１３ｅ，１３ｅは、細線同軸ケーブルＳＣを挟んだ左右方向の両側に、当該細線同軸ケーブルＳＣに沿って延出する構成になされているが、その詳細な構成については後段において説明する。
【００２７】
また、上述したようにシェル蓋部１３ｂの正面側に突出するように設けられた突出カバー部１３ｂ１の両側縁部には、一対の舌片部材からなる固定保持板１３ｆ，１３ｆが、フランジ板状をなすように設けられている。それらの固定保持板１３ｆ，１３ｆは、細線同軸ケーブルＳＣおよびケ一ブル保護アーム１３ｅ，１３ｅを外方側から覆うように折り曲げられてカシメ固定される構成になされている。すなわち、それらの固定保持板１３ｆ，１３ｆを構成している両側フランジ板は、シェル蓋部１３ｂが略水平状態まで押し倒された際に、ケ一ブル保護アーム１３ｅ，１３ｅの両側外方に位置するように配置され（図８参照）、その状態からカシメを行うようにケ一ブル保護アーム１３ｅ，１３ｅの両側外壁面に沿ってコネクタ内方側に折り曲げられ（図１０参照）、それによってシェル本体部１３ａに対するシェル蓋部１３ｂの固定が行われる。
【００２８】
さらに、シェル蓋部１３ｂに設けられた突出カバー部１３ｂ１の両側縁部には、上述した固定保持板１３ｆ，１３ｆに隣接するようにして、比較的小型のフランジ板からなるケーブル保持部１３ｇ，１３ｇが設けられている。それらのケーブル保持部１３ｇ，１３ｇは、細線同軸ケーブルＳＣを外方側から覆うように折り曲げられてカシメ固定される構成になされている。すなわち、それらのケーブル保持部１３ｇ，１３ｇを構成している両側フランジ板は、シェル蓋部１３ｂが略水平状態まで押し倒された際に、細線同軸ケーブルＳＣの両側外方に位置するように配置され、その状態からカシメを行うようにコネクタ内方側に折り曲げられる。それによって、細線同軸ケーブルＳＣに対するシェル蓋部１３ｂの固定が行われるとともに、ケーブル外部導体ＳＣｂがケーブル保持部１３ｇ，１３ｇに接触することで、シールドシェル１３によるグランド回路が構成されるようになっている。
【００２９】
一方、上述したようにケ一ブル保護アーム１３ｅ，１３ｅは、コネクタ本体部の一部を構成するシェル本体部１３ａの正面側端縁部分から細線同軸ケーブルＳＣの端末部分に沿うように設けられている。これらの各ケ一ブル保護アーム１３ｅは、シェル本体部１３ａから片持ち状をなして一体的に突出する細長板状部材から形成されており、上述した細線同軸ケーブルＳＣの端末部分を挟んだ両側に、所定の間隔をなして一対のものが互いに略平行に対向するように配置されている。
【００３０】
ここで、各ケ一ブル保護アーム１３ｅにおける突出側の先端部分には、コネクタ内方側、すなわち細線同軸ケーブルＳＣ側に向って折り曲げ形成された補強部１３ｈがそれぞれ設けられている。これらの各補強部１３ｈは、ケ一ブル保護アーム１３ｅに対して横断面略Ｕ字状をなして反転するように折り曲げ形成された形状を有するものであって、前記ケ一ブル保護アーム１３ｅの突出側先端部分の下縁から、コネクタ内方側、すなわち対向する相手側のケ一ブル保護アーム１３ｅに向かって湾曲状に折れ曲がるように突出した後、さらに横断面略半円形状に折れ曲がるようにして上方側に向かって突出している。
【００３１】
このようにケ一ブル保護アーム１３ｅの突出側先端部分に設けられた補強部１３ｈは、細線同軸ケーブルＳＣに対して外方側から当接する配置関係になされている。より具体的には、前述したケーブル内部導体（信号線）ＳＣａとケーブル外部導体（シールド線）ＳＣｂとの間に介装されている誘導体の外方露出部分に対して、補強部１３ｈの内側壁面が、半径方向外方側から当接して当該細線同軸ケーブルＳＣを位置規制するケーブルガイドとして設けられている。
【００３２】
上述したようにケ一ブル保護アーム１３ｅの補強部１３ｈの下端部分は、横断面略半円状をなして下方に突出する湾曲形状になされているが、その補強部１３ｈの下端側湾曲形状部分に対応して、前述した固定保持板１３ｆ，１３ｆの各々に位置決め部１３ｉが形成されている。この固定保持板１３ｆに設けられた位置決め部１３ｉは、上述した補強部１３ｈの下端側湾曲形状部分に対応した凹状の窪み表面を有しており、前述したように固定保持板１３ｆがケ一ブル保護アーム１３ｅを外方から覆うようにコネクタ内方側に折り曲げられた際に（図１０参照）、固定保持板１３ｆに設けられた位置決め部１３ｉが、補強部１３ｈの下端側湾曲形状部分に当接して嵌合状態になされ、それによって、片持ち構造からなるケ一ブル保護アーム１３ｅの保持が行われる構成になされている。
【００３３】
また、本実施形態における各ケ一ブル保護アーム１３ｅの上縁部には、上述した補強部１３ｈの直上に相当する位置に、係合凸部１３ｊが上方に突出するように設けられている。この係合凸部１３ｊは、補強部１３ｈのほぼ全長に渡って延在するように設けられている。一方、ケ一ブル保護アーム１３ｅを上方側から覆うシェル蓋部１３ｂには、上述した係合凸部１３ｊに対応する位置に当該係合凸部１３ｊを収容可能とする係止凹部１３ｋが形成されている。そして、シールドシェル１３のシェル蓋部１３ｂが略水平状態まで押し倒された際に（図８参照）、ケ一ブル保護アーム側の係合凸部１３ｊが、シェル蓋部１３ｂ側の係止凹部１３ｋの内方側に嵌合されるようになっている。なお、この係止凹部１３ｋの変形例として、当該係止凹部１３ｋの底面部分を貫通状態とすることで形成した貫通孔を採用することも可能である。
【００３４】
このように本実施形態においては、コネクタの低背化または小型化等に伴ってプラグコネクタ１０のコネクタ本体部やケ一ブル保護アーム１３ｅ，１３ｅの剛性が低下する傾向が生じた場合であっても、ケ一ブル保護アーム１３ｅ，１３ｅに設けられた補強部１３ｈ，１３ｈによって、当該ケ一ブル保護アーム１３ｅ，１３ｅの剛性が高められていることから、リセプタクルコネクタなどからなる相手側の電気コネクタに対する挿入・抜去を行う際における変形や位置ずれ、あるいはインピーダンス等の電気的特性変化が低減される。
【００３５】
また、本実施形態においては、ケ一ブル保護アーム１３ｅ，１３ｅに設けられた補強部１３ｈ，１３ｈが、固定保持板１３ｆ，１３ｆに設けられた位置決め部１３ｉ，１３ｉによって、より安定的に保持されることから、嵌合相手となる他の電気コネクタ（リセプタクルコネクタ等）２０に対する挿抜時の安定性や電気的特性が更に向上される。
【００３６】
さらに、本実施形態においては、ケ一ブル保護アーム１３ｅ，１３ｅにケーブルガイドとして設けられた補強部１３ｈ，１３ｈの位置規制機能によって、細線同軸ケーブルＳＣが所定の位置に安定的に保持されることとなり、例えば、細線同軸ケーブルＳＣに煽り操作等の外力が付与された場合であっても、電気的接続性が良好に維持される。
【００３７】
さらにまた、本実施形態においては、ケ一ブル保護アーム１３ｅ，１３ｅが、当該ケ一ブル保護アーム１３ｅ，１３ｅに設けられた係合凸部１３ｊを介してシェル蓋部１３ｂに保持されることから、嵌合相手となる他の電気コネクタ（リセプタクルコネクタ等）２０に対する挿抜時の安定性や電気的特性が一層向上される。
【００３８】
一方、前述したようにシールドシェル１３の下方側部分を構成しているシェル挿入部１３ｃは、嵌合相手である相手コネクタ（リセプタクルコネクタ等）の径方向外方側部分に外嵌される構成になされており、前述した相手コネクタの径方向内方側に挿入される絶縁ハウジング１１の絶縁挿入部１１ｂとともにコネクタ連結部分を構成している。より具体的には、このシェル挿入部１３ｃは、略円筒形状を有するように形成されており、当該シェル挿入部１３ｃの挿入側の下端部分に、径方向内方側に向かって突出する環状凹溝からなる連結係合部１３ｍが形成されている。そして、前述したようにシェル蓋部１３ｂが略水平状態まで押し倒された後に、当該連結係合部１３ｍが、嵌合相手である相手コネクタに設けられた連結係止部（図示省略）に対して弾性的な嵌合関係になされるようになっている。
【００３９】
［シグナル導電コンタクトについて］
また、本実施形態において採用されている導電コンタクト（シグナル導電コンタクト）１２は、前述した絶縁ハウジング１１の絶縁本体部１１ａに圧入又はインサート成形等により取り付けられているが、細線同軸ケーブルＳＣのケーブル内部導体（信号線）ＳＣａに接続されるケーブル挟持部１２ａを有しているとともに、そのケーブル挟持部１２ａから下方側に向かって延出するように設けられた弾性バネ部（図示省略）が、嵌合の相手コネクタ（リセプタクルコネクタ等）に設けられた導電コンタクト（図示省略）に対して弾性的に接触する構成になされている。
【００４０】
そのうちのケーブル挟持部１２ａは、側面視において略Ｃ字形状又は略Ｌ字形状をなすように折り曲げ形成されたクリップビーム構造を有しており、両辺部同士を互いに近付けるように折り曲げることによって、細線同軸ケーブルＳＣのケーブル内部導体（信号線）ＳＣａを上下からクリップ状に挟む構造になされている。より具体的には、このケーブル挟持部１２ａを構成している上側ビーム部は、上述した細線同軸ケーブルＳＣの端末部分を連結する前の段階である初期状態において、例えば図１および図１３に示されているような上方開放状態になされている。その初期状態における上側ビーム部は、略上方に向かって立ち上がる形状を有している。そして、図１３のように細線同軸ケーブルＳＣの端末部分がケーブル支持部１１ｃに載置されてセットされた後、シールドシェル１３のシェル蓋部１３ｂが絶縁押圧板１１ｄとともに略水平状態まで押し倒された際に（図７および図８参照）、その絶縁押圧板１１ｄによってケーブル挟持部１２ａの上側ビーム部が略水平状態まで押し倒され、当該上側ビーム部が、ケーブル内部導体（信号線）ＳＣａを上方側から押圧する構成になされている。
【００４１】
ここで、上述したケーブル挟持部１２ａを構成している上側ビーム部における延在方向の途中位置は、ケーブル内部導体（信号線）ＳＣａを上方側から押圧する上方電極部に形成されている。この上方電極部は、細線同軸ケーブルＳＣを挟持する下方向に突出する屈曲形状に形成されており、その屈曲形状部分が、細線同軸ケーブルＳＣ側に向かってエッジ形状に突出する突状接点部になされている。この突状接点部は、前述したようにシェル蓋部１３ｂが略水平状態まで押し倒された際に、細線同軸ケーブルＳＣのケーブル内部導体（信号線）ＳＣａに対して上方側から圧接する構成になされている。
【００４２】
さらに、上述した上側ビーム部に対して、ケーブル内部導体ＳＣａを挟んだ反対側の下方部位には、ケーブル挟持部１２ａの下側ビーム部が配置されている。この下側ビーム部には、細線同軸ケーブルＳＣのケーブル内部導体（信号線）ＳＣａが上方側から載置されるようにしてセットされ（図１３参照）、その下側ビーム部上にセットされたケーブル内部導体（信号線）ＳＣａに対し、前述した上側ビーム部が折り曲げ変形されて上方側から押し付けられることで、それら両ビーム部同士の間にケーブル内部導体（信号線）ＳＣａが挟持される構成になされている。
【００４３】
このときの下側ビーム部は、上側ビーム部との連結部分から基本的に平坦状をなして延出する板状部材から形成されており、前述した絶縁ハウジング１１の絶縁本体部１１ａの上表面に載置された状態で固定されている。この下側ビーム部には、接続監視穴１２ａ１が貫通形成されているが、当該接続監視穴１２ａ１とほぼ同軸状をなして、絶縁ハウジング１１に相手側コネクタに設けられた導電コンタクトが挿入される挿入孔が、接続監視穴としての機能を兼ねて貫通形成されている。そして、その接続監視穴１２ａ１を通して、細線同軸ケーブルＳＣのケーブル内部導体（信号線）ＳＣａの配置状態が下方側から目視可能となっている。
【００４４】
また、ケーブル挟持部１２ａからは、下方側に向かって一対の弾性バネ部（図示省略）が延出しており、それらの弾性バネ部同士の間部分に、嵌合の相手コネクタ（リセプタクルコネクタ等）に設けられたピン形状の信号導電コンタクト（図１６中の符号２２参照）が、圧接状態で挿入される構成になされている。
【００４５】
一方、上述した第１の実施形態と同一の構成部材に対して同一の符号を付した図１１および図１２にかかる第２の実施形態においては、ケ一ブル保護アーム１３ｅ，１３ｅに設けられた補強部１３ｈ，１３ｈの上縁部に係合凸部１３ｎ，１３ｎが上方に突出するように設けられているとともに、これらの係合凸部１３ｎ，１３ｎに対応して、シェル蓋部１３ｂに係合凹部１３ｐ，１３ｐが窪むように形成されている。そして、シールドシェル１３のシェル蓋部１３ｂが略水平状態まで押し倒された際に、補強部１３ｈ，１３ｈに設けられた係合凸部１３ｎ，１３ｎが、シェル蓋部１３ｂ側の係合凹部１３ｐ，１３ｐ内に嵌合されるようになっている。
【００４６】
このように本実施形態においては、細線同軸ケーブルＳＣ側に当接する補強部１３ｈ，１３ｈが、係合凸部１３ｎ，１３ｎを介してシェル蓋部１３ｂに直接的に保持されることから、補強部１３ｈ，１３ｈを介して細線同軸ケーブルＳＣが安定的に支持される。
【００４７】
また、上述したように係合凸部１３ｎが補強部１３ｈに設けられた本実施形態においては、ケーブル保護アーム１３ｅ自体に係合凸部１３ｎが設けられていないことから、前述した第１の実施形態に比して、ケーブル保護アーム１３ｅの全長が拡大されており、その分、ケーブル保護アーム１３ｅの弾性が増大されることとなって、例えばコネクタ抜去時等のような外力が付加された際にケーブル保護アーム１３ｅが円滑に弾性変位して破損や破壊のおそれが回避される。
【００４８】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４９】
例えば、上述した実施形態においては、垂直嵌合型の電気コネクタに本発明を適用したものであるが、水平嵌合型の電気コネクタに対しても同様に適用することができる。
【００５０】
また、本発明は、上述した実施形態のような単芯の細線同軸ケーブル用コネクタに限定されることはなく、多極状に配置された同軸ケーブル用コネクタや、同軸ケーブルと絶縁ケーブルとが複数混合したタイプの電気コネクタ等についても同様に適用することが可能である。
【産業上の利用可能性】
【００５１】
以上のように本実施形態は、各種電気機器に使用される多種多様な電気コネクタに対して広く適用することが可能である。
【符号の説明】
【００５２】
１０  プラグコネクタ（同軸コネクタ）
ＳＣ  細線同軸ケーブル（ケーブル状信号伝送媒体）
ＳＣａ  ケーブル内部導体（信号線）
ＳＣｂ  ケーブル外部導体（シールド線）
１１  絶縁ハウジング
１１ａ  絶縁本体部
１１ｂ  絶縁挿入部
１１ｃ  ケーブル支持部
１１ｄ  絶縁押圧板
１２  導電コンタクト（シグナル導電コンタクト）
１２ａ  ケーブル挟持部
１２ａ１  接続監視穴
１３  シールドシェル（グランド導電コンタクト）
１３ａ  シェル本体部
１３ｂ  シェル蓋部
１３ｂ１  突出カバー部
１３ｃ  シェル挿入部
１３ｄ  繋ぎ部材
１３ｅ  ケ一ブル保護アーム
１３ｆ  固定保持板
１３ｇ  ケーブル保持部
１３ｈ  補強部
１３ｉ  位置決め部
１３ｊ  係合凸部
１３ｋ  係止凹部
１３ｍ  連結係合部
１３ｎ  係合凸部
１３ｐ  係合凹部
２０  嵌合相手側の電気コネクタ（リセプタクルコネクタ等）
２２  相手側の信号導電コンタクト
【図１】
2014143069.tif 000003
【図２】
2014143069.tif 000004
【図３】
2014143069.tif 000005
【図４】
2014143069.tif 000006
【図５】
2014143069.tif 000007
【図６】
2014143069.tif 000008
【図７】
2014143069.tif 000009
【図８】
2014143069.tif 000010
【図９】
2014143069.tif 000011
【図１０】
2014143069.tif 000012
【図１１】
2014143069.tif 000013
【図１２】
2014143069.tif 000014
【図１３】
2014143069.tif 000015
【図１４】
2014143069.tif 000016
【図１５】
2014143069.tif 000017
【図１６】
2014143069.tif 000018